(57)【特許請求の範囲】
【請求項１】
数値キーからなる数値入力手段と、
人体の部位別のデータを保持する記憶手段と、
人体の部位を数値キーに割り当て、割り当てた特定の数値キーを動作させると割り当てた部位のデータを前記記憶手段から読み出す制御手段とからなる入力装置。
【請求項２】
前記数値キーを覆う部材に人体の体型を記載し、人体部位と数値キーとを対応させたことを特徴とする請求項１に記載の入力装置。
【請求項３】
前記数値キーを覆う部材には、更に左右を表す記載がなされていることを特徴とする請求項２に記載の入力装置。
【請求項４】
数値キーからなる数値入力手段と、
人体の部位別のデータを測定する測定手段と、
人体の部位を数値キーに割り当て、割り当てた特定の数値キーを動作させると割り当てた部位のデータを表示する表示手段とからなる生体情報装置。
【請求項５】
数値キーからなる数値入力手段と、
人体の部位別のデータを測定する測定手段と、
測定された人体の部位別のデータを保持する記憶手段と、
人体の部位を数値キーに割り当て、割り当てた特定の数値キーを動作させると割り当てた部位のデータを前記記憶手段から読み出す制御手段と、
読み出された部位のデータを表示する表示手段とからなる生体情報装置。
【請求項６】
前記数値キーを覆う部材に人体の体型を記載し、人体部位と数値キーとを対応させたことを特徴とする請求項４または５に記載の生体情報装置。
【請求項７】
前記数値キーを覆う部材には、更に左右を表す記載がなされていることを特徴とする請求項６に記載の生体情報表示装置。
【発明の詳細な説明】
【０００１】
【発明の属する技術分野】
本発明は、生体の各部位の情報を表示する表示装置や測定した結果を表示する生体測定装置の入力機構に関する。
【０００２】
【従来の技術】
近年、生体の様々な体組成を手軽に測定し管理する装置が存在し、健康管理の上で有効に活用されている。
【０００３】
また、更に詳しく体組成を知りたいという要望は高まっており、片手や片足、体幹部のみといった身体の特定の部位の体脂肪量や筋肉量を測定し、結果を表示する装置も普及されている。
【０００４】
本出願人による特開２００１−１７８６９６号公報にも、被験者の左右手足といった部位別の体脂肪量や筋肉量を生体電気インピーダンスを用いて測定し、表示する装置が開示されている。
【０００５】
【発明が解決しようとする課題】
前述の特開２００１−１７８６９６号公報に記載の生体測定装置は、タッチパネル式のドットマトリクスＬＣＤを用いて、部位別の体脂肪量や筋肉量を算出し表示しているが、この装置においては部位表示が順番に行われ、特定の部位を表示させるのに何度も画面上のキーを押す必要があり、また、タッチパネル式のドッドマトリクスＬＣＤは非常にコストが高いものとなる。
【０００６】
また、各部位の情報を表示させるための表示手段にセグメントＬＣＤを用いた場合、一度に複数部位の情報を表示させるのには、複数段数・複数桁数の表示部を設ける必要があり、表示部は大きなものとなり、またコストもかかる。
【０００７】
小さなセグメントＬＣＤを用いて複数部位の情報を表示させる場合には、例えば、表示させる部位の情報を順番に切り替えて表示させる構成も考えられる。しかし、運動選手のように特定の部位のみの体組成を知りたい場合には、所望の部位情報が表示されるのに長い時間を要する。
【０００８】
従って、特定の部位のみを表示させるのであれば、例えば、「右手」、「左手」、「右足」、「左足」というスイッチを設けて、それぞれのスイッチが押された場合に、対応する部位の情報を表示することも考えられるが、そのスイッチを設けるスペースが必要になる上、コストも上がってしまう。
【０００９】
本発明は、上述の問題点を解決するものであり、簡単な構成であり、かつ必要な部位のみの情報を簡単に呼び出すことができる入力機構を提供することである。
【００１０】
【課題を解決するための手段】
本発明の入力装置は、数値キーからなる数値入力手段と、
人体の部位別のデータを保持する記憶手段と、
人体の部位を数値キーに割り当て、割り当てた特定の数値キーを動作させると割り当てた部位のデータを前記記憶手段から読み出す制御手段とからなり、簡単に部位の指定を行える。
【００１１】
また、本発明の入力装置は、前記数値キーを覆う部材に人体の体型を記載し、人体部位と数値キーとを対応させたことにより、どのキーが生体のどの部位に対応しているかが解りやすくなる。
【００１２】
また、本発明の入力装置は、前記数値キーを覆う部材には、更に左右を表す記載がなされていることにより、左右の方向が解りやすくなる。
【００１３】
また、本発明の生体情報装置は、数値キーからなる数値入力手段と、人体の部位別のデータを測定する測定手段と、人体の部位を数値キーに割り当て、割り当てた特定の数値キーを動作させると割り当てた部位のデータを表示する表示手段とからなり、簡単に測定された結果を表示させる部位を指定できる。
【００１４】
また、本発明の生体情報装置は、数値キーからなる数値入力手段と、人体の部位別のデータを測定する測定手段と、測定された人体の部位別のデータを保持する記憶手段と、人体の部位を数値キーに割り当て、割り当てた特定の数値キーを動作させると割り当てた部位のデータを前記記憶手段から読み出す制御手段と、読み出された部位のデータを表示する表示手段とからなり、簡単に測定された結果を表示させる部位を指定できる。
【００１５】
また、本発明の生体情報装置は、前記数値キーを覆う部材に人体の体型を記載し、人体部位と数値キーとを対応させたことによりどのキーが生体のどの部位に対応しているかが解りやすくなる。
【００１６】
また、本発明の生体情報装置は、前記数値キーを覆う部材には、更に左右を表す記載がなされていることにより、左右の方向が解りやすくなる。
【００１７】
【発明の実施の形態】
本発明の入力装置は、一般的に用いられている数値キー（テンキー）に部位を指定する機能を持たせる。数値キーを覆う部材（パネル部分）には、人体の体型の図を描き、両手両足、頭部、体幹部に数値キーのそれぞれのスイッチが配置されるようにする。部位指定を兼ねた数値キーが押された場合には、割り当てられた部位のデータを記憶装置から読み出す構成とする。
【００１８】
また、右側・左側が解るように何らかのマークを記載する。
【００１９】
人体の部位としては、頭部、両手両足、体幹部などが考えられる。
【００２０】
【実施例】
本発明の入力装置を用いた実施例として、被験者の部位別の体脂肪が測定可能な装置について、図面を用いて説明する。図１は測定装置の斜視図であり、測定装置１は概略Ｌ型の形状をしている。下部に体脂肪計付き体重計２を設け、この体脂肪計付き体重計２は、公知のものであり、被験者の体重を測定するために載る載台面２ａに被験者の左右の足の底面が接する電極部３、４を設けてある。この電極部３、４は、電流を流すための電極３ａ、４ａと、電圧を測定する電極３ｂ、４ｂとから構成される。
【００２１】
また測定装置１の上面には、操作ボックス５が設けられている。この操作ボックス５には、電源スイッチや各種の身体情報の入力を行う入力手段である入力装置６、測定結果を表示するセグメントＬＣＤからなる表示手段である表示装置７、測定結果を用紙に印刷して排出する印刷装置８が設けられている。
【００２２】
更に操作ボックス５には、手用の電極部１３、１４がコード１５、１６を介して接続されている。この手用の電極部１３、１４にも電流を流すための電極１３ａ、１４ａと、電圧を測定する電極１３ｂ、１４ｂが設けられている。手用の電極部１３、１４は測定時以外は、操作ボックス５の左右両側に設けられたフック１７に掛けられる。
【００２３】
図２は入力装置６の拡大図である。入力装置６は、電源スイッチ６１、着衣量キー６２、体重計キー６３、性別体型キー６４、数値入力手段であるテンキー６５からなる。
【００２４】
更にテンキー６５は、「０」から「９」までの数字キーと、「．」で示される小数点キー、「ＣＥ」で示されるクリアキーからなる。
【００２５】
また、結果を印刷する際に押す、「ＦＥＥＤ」で示される印刷キー６６を備える。
【００２６】
また、テンキー６５の各キーを覆うパネルには、図２に示すように「８」が頭部、「４」が左手、「６」が右手、「０」が左足、「．」が右足、「５」と「２」が体幹部に当たるように人体を模った外形図（体型）が描かれている。また、左側を意味する「Ｌ」、右側を意味する「Ｒ」も示されている。
【００２７】
図３は、測定装置１の電気ブロック図であり、測定手段である左右の手足に接する電極３ａ、３ｂ、４ａ、４ｂ、１３ａ、１３ｂ、１４ａ、１４ｂの８電極が電極切替装置２０に接続されている。この電極切替装置２０は、電流供給装置２１と、電圧測定装置２２とを介して制御手段である制御装置２３に接続される。この制御装置２３はマイクロコンピュータを備え、各種データ等を記憶する記憶手段であるメモリあるいはレジスタからなる記憶装置２４、一定時間を計測する時計装置２５、被験者の体重を測定する体重測定装置２６を接続している。また、入力装置６と表示装置７と印刷装置８とを接続している。２８は、制御装置１３やその他の装置に電力を供給する電源装置である。
【００２８】
次に図４、図５のフローチャート及び図６、図７、図８、図９、図１０、図１１の表示画面を用いて、本測定装置１の動作を説明する。まず、測定装置１の入力装置６に設けられた電源スイッチ６１をオンすると、ステップＳ１で全ての電気装置が初期化され、図６（ａ）に示す表示となる。尚、この表示部の図において、内側の数値及び矢印表示以外の文字は、ＬＣＤ外に印刷されているものである。ここで体重キー６３が押されると体重の測定だけを行う体重測定モードとなる。尚、体重測定モードは、一般的な体重測定のため、ここでは説明を省略する。
【００２９】
体重キー６３が押されない場合には、体組成測定を行うモードとなり、ステップ３で着衣量の入力モードに進む。図６（ａ）に示すように、着衣量を入力することを促すように、着衣量に対応する矢印が点滅表示する。ここで入力装置６のテンキー６５を用いて被験者の着衣量を入力する。例えば着衣量が２．０ｋｇであるなら、順に「２」、「．」、「０」のキーを押すことで数値を入力する。この時に入力した値が間違った場合には、「ＣＥ」キーを押すことで直前に入力した数値を一つづつ消して数値を再入力することができる。図６（ｂ）は、その時の表示状態を示す図である。
【００３０】
着衣量の入力が終了するとステップ４に移行し、図７（ａ）に示すよう入力された重量を減算する意味で、−２．０ｋｇが表示されると共に、着衣量に該当する矢印は点滅表示から点灯表示に変わる。
【００３１】
同時に、性別と体型を入力することを促すために、「男性」・「女性」・「アスリート」に対応する矢印が点滅表示する。被験者は、性別体型キー６４の中から、該当するキーを押す。この性別体型キー６４は男性・女性の性別と、普段から運動を行っているアスリート体型かスタンダード体型かの組み合わせにより４つのスイッチからなる。ここでは男性スタンダードを押したものとする。
【００３２】
ステップＳ５は、年令を入力するもので、図７（ｂ）で示すように年齢に対応する矢印が点滅するので、数値キー６５により被験者の年令を入力する。ここでは３２歳を入力している。尚、ステップＳ４において男性のスタンダードが設定されたため、男性に対応した矢印が点灯表示している。
【００３３】
ステップＳ６は、身長を入力するもので、図８（ａ）で示すようにｃｍに対応する矢印が点滅するので、数値キー６５により被験者の身長を入力する。ここでは１７２ｃｍを入力している。これにより、ステップＳ７に進み、ステップＳ３からステップＳ６で測定した被験者のデータが図８（ｂ）に示すように表示部１６に一度に表示される。ここで着衣量キー６２が押されると、ステップＳ３の着衣量の設定からやり直すことになる（ステップＳ８）。
【００３４】
ステップＳ８で、着衣量キー６２が押されていない場合には、体重測定状態となる。図９（ａ）で示すように体重計に対応する矢印が点滅するので、被験者に体脂肪計付き体重計２に載るように促す。ここで被験者が体脂肪計付き体重計２の載台面２ａに載ると、体重測定装置２６で体重が測定され、図９（ｂ）で示すように体重の数値を表示すると共に、体重に対応する矢印は点灯表示に変わる（ステップＳ９）。
【００３５】
次に画面表示は、図１０に示すように脂肪率％に対応する矢印を点滅させることで、被験者に手用の電極部１３、１４を持つように促す。
【００３６】
ここで被験者の各部位の測定が始まる。
【００３７】
ステップＳ１０は、右手右足間の生体電気インピーダンスを測定する。制御装置２３の指示で電極切替装置２０が切替ることにより、電極４ａ、１４ａ間に電流供給装置２１から交流電流が供給され、電極４ｂ、１４ｂで電圧測定装置２２により電圧が測定される。この測定電圧は制御装置２３により電気インピーダンスが演算され、この測定が終了すると、ステップＳ１１に進む。以下同様に、ステップＳ１１では、左手左足間を測定するもので、電極１３ａ、３ａ間に電流を流し、電極１３ｂ、３ｂ間で電圧を測定する。
【００３８】
ステップＳ１２では、右足を測定するもので、電極１４ａ、４ａ間に電流を流し、電極３ｂ、４ｂ間で電圧を測定する。ステップＳ１３では、左足を測定するもので、電極１３ａ、３ａ間に電流を流し、電極３ｂ、４ｂ間で電圧を測定する。ステップＳ１４では、右手を測定するもので、電極１４ａ、４ａ間に電流を流し、電極１３ｂ、１４ｂ間で電圧を測定する。ステップＳ１５では、左手を測定するもので、電極１３ａ、３ａ間に電流を流し、電極１３ｂ、１４ｂ間で電圧を測定する。ステップＳ１６では、体幹間を測定するもので、電極１４ａ、４ａ間に電流を流し、電極１３ｂ、３ｂ間で電圧を測定する。
【００３９】
尚、ステップＳ１０からＳ１６の全身及び各部位の生体電気インピーダンスの測定中は、図１１に示すように表示装置であるセグメントＬＣＤの一部を用いて複数の丸「○」を点滅表示させ、測定の進行状況に合わせて、徐々に表示させる「○」の個数を減少させていく。測定終了時には、全ての「○」が消えることとなる。
【００４０】
各部位の生体電気インピーダンス測定が終了すると、被験者の体脂肪率を算出し、図１２（ａ）に示すように結果を表示する（ステップＳ１７）。ここで表示されている値は、上から、体重、身長、全身の体脂肪率である。尚、生体電気インピーダンス値からの体脂肪率の算出は、公知の技術であるため、ここでは説明を省略する。
【００４１】
ステップＳ１８で印刷を行うための「ＦＥＥＤ」と記載された印刷キー６６が押されたかを判断し、押されればステップＳ１９で印刷装置６の用紙排出口から測定結果を記載した用紙が排出され、ステップＳ３に戻る。
【００４２】
ステップＳ１８で印刷キー６６が押されていない場合には、部位別表示ルーチンへ移行する（ステップＳ２０）。
【００４３】
次に図５のフローチャートを用いて、ステップＳ２０の部位別表示のサブルーチンを説明する。ステップＳ２１で時計装置２５の時計カウンタがリセットされ「０」になり、その後、ステップＳ２２で時計カウンタがインクリメントされる。
ステップＳ２３では、時計カウンタが３０秒に達したかを確認する。ここで３０秒が経過していない場合には、数値キー６５のうちの入力可能ないずれかのキーが押されているかをチェックする。
【００４４】
ステップＳ２４では、「ＣＥ」キーが押されているかをチェックする。ここで「ＣＥ」キーが押された場合には、即座に部位別表示ルーチンは終了し、図４のステップＳ３に戻ることになり（ステップＳ２５）、着衣量の設定から行うこととなる。
【００４５】
ステップＳ２６では、「．」キーが押されているかをチェックする。ここで「．」キーが押された場合には、図１２の（ｂ）に示すよう右足部の体組成を表示する（ステップＳ２７）。ここでは、上から右足の筋肉量、右足の体脂肪量、右足の体脂肪率を表している。
【００４６】
ステップＳ２８では、「０」キーが押されているかをチェックする。ここで「０」キーが押された場合には、同様に左足部の体組成を表示する（ステップＳ２９）。
【００４７】
ステップＳ３０では、「６」キーが押されているかをチェックする。ここで「６」キーが押された場合には、同様に右手部の体組成を表示する（ステップＳ３１）。
【００４８】
ステップＳ３２では、「４」キーが押されているかをチェックする。ここで「４」キーが押された場合には、同様に左手部の体組成を表示する（ステップＳ３３）。
【００４９】
ステップＳ３４では、「５」キーが押されているかをチェックする。更にステップＳ３５で「２」キーが押されているかをチェックする。ここで「５」キーまたは「２」キーが押されている場合には、同様に体幹部の体組成を表示する（ステップＳ３６）。ここで押されていない場合には、ステップＳ２２の時計カウンタのインクリメントに戻る。
【００５０】
ステップＳ２７、Ｓ２９、Ｓ３１、Ｓ３３、Ｓ３６の特定部位の体組成の表示は、部位を示すキーが押されている間のみ表示を続ける。従って、ステップＳ３７でキーが押されているかを確認し続ける。この表示させる部位のキーを押している構成とすることで、キーから指を離した時点で図１２（ａ）の全身の結果表示に戻る（ステップＳ３８）。その後、ステップＳ２１に戻り、時計カウンタはリセットされ、再度３０秒間のカウントを開始する。以上の動作により、３０秒間、部位別のキー入力は可能であり、一度、表示する部位の指定が行われたら、そのキーを離した時点から再度、３０秒間キー入力を受け付けることとなる。
【００５１】
ステップＳ２３で３０秒が経過した時、あるいはステップＳ２４において「ＣＥ」キーが押されている場合には、図４のステップＳ３に戻り、着衣量の設定から行うこととなる。これにより、全身の結果表示は３０秒間だけ行われることとなる。
【００５２】
尚、図３及び図４のフローチャートには記載していないが、どの状態においても電源スイッチ６１が押された場合は、装置の電源はオフされるものである。
【００５３】
以上、本発明の実施例として、体重、体脂肪率、体脂肪量、筋肉量を算出し表示する装置として説明したが、これに限らず、除脂肪量、体水分量といった体組成を算出し表示する装置に、本発明の入力装置を適用してもよい。
【００５４】
また、本実施例では複数の電極を用いて生体電気インピーダンスの測定を行い、各部位の体組成を表示する装置として説明したが、本発明はこれに限らず、例えば、測定は行わずに、入力された様々な数値から各部位の身体情報を計算して表示する装置の入力装置として本発明を適用してもよい。
【００５５】
また、ここでは生体情報の表示を行う一体型の装置として説明したが、表示装置は別の装置で行う構成とし、入力装置として独立した形態としても本発明は適用できる。
【００５６】
また、テンキーと部位指定のキーの組み合わせは、本実施例に示したものに限らずに変更することは可能である。例えば図１３に示す入力装置では、図２の場合と両手に用いるキーが異なっている。このように、部位指定に用いるキーは使用者が解る範囲で適宜変更が可能である。
【００５７】
また、本発明の別実施例として図１４に示すように、結果表示と共に押されたキーの番号も表示する形態としてもよい。ここでは、左側に表示されている「４」が押されたキー番号を表している。このような形態とすれば、キーを離しても押した部位のキー番号を把握できるので、一定時間部位の結果を表示してもよい。
【００５８】
【発明の効果】
本発明の入力装置は、数値入力手段である数値キーに数値の入力と部位の指定機能を持たせるので、新たにキーを設ける必要はなくコストも上がらずに、簡単に表示したい部位を指定することができる。
【００５９】
また、数値キーを覆う部材に生体の外形を描けば、どのキーが生体のどの部位に対応しているかがわかり易いものとなる。
【００６０】
更に、左右を示す記号をパネルに描いておけば、各キーと部位の対応がよりわかり易いものとなる。
【００６１】
また、本発明の入力装置を用いた生体表示装置であれば特別に部位を指定するスイッチを設ける必要も無く装置自体は小型化でき、また安価で構成することが可能となる。
【図面の簡単な説明】
【図１】本発明の実施例における測定装置の斜視図である。
【図２】本発明の実施例における測定装置における入力装置の拡大図である。
【図３】本発明の実施例における測定装置の電気ブロック図である。
【図４】本発明の実施例における測定装置のフローチャート図である。
【図５】本発明の実施例における測定装置のフローチャート図である。
【図６】本発明の実施例における表示装置の表示画面を示す図である。
【図７】本発明の実施例における表示装置の表示画面を示す図である。
【図８】本発明の実施例における表示装置の表示画面を示す図である。
【図９】本発明の実施例における表示装置の表示画面を示す図である。
【図１０】本発明の実施例における表示装置の表示画面を示す図である。
【図１１】本発明の実施例における表示装置の表示画面を示す図である。
【図１２】本発明の実施例における表示装置の表示画面を示す図である。
【図１３】本発明の入力装置の別実施例を示す図である。
【図１４】本発明の別実施例における表示装置の表示画面を示す図である。
【符号の説明】
１  測定装置
２  体脂肪計付き体重計
３、４、１３、１４  電極部
３ａ、３ｂ、４ａ、４ｂ、１３ａ、１３ｂ、１４ａ、１４ｂ  電極
５  操作ボックス
６  入力装置
７  表示装置
８  印刷装置
１５、１６  コード
１７  フック
２０  電極切替装置
２１  電流供給装置
２２  電圧測定装置
２３  制御装置
２４  記憶装置
２５  時計装置
２６  体重測定装置
２８  電源装置
６１  電源スイッチ
６２  着衣量キー
６３  体重計キー
６４  性別体型キー
６５  テンキー
６６  印刷キー
【図１】
0003753651.tif 000002
【図２】
0003753651.tif 000003
【図３】
0003753651.tif 000004
【図４】
0003753651.tif 000005
【図５】
0003753651.tif 000006
【図６】
0003753651.tif 000007
【図７】
0003753651.tif 000008
【図８】
0003753651.tif 000009
【図９】
0003753651.tif 000010
【図１０】
0003753651.tif 000011
【図１１】
0003753651.tif 000012
【図１２】
0003753651.tif 000013
【図１３】
0003753651.tif 000014
【図１４】
0003753651.tif 000015